(57)【特許請求の範囲】
【請求項１】
被加工物を保持する保持面を有する保持手段と、該保持手段に保持された被加工物を加工する加工手段と、該加工手段の加工条件を入力するタッチ操作パネルとを備えた加工装置であって、
該タッチ操作パネルは、加工条件の数値データが入力される一または複数の入力欄を配置した加工条件設定画面を少なくとも表示し、
該タッチ操作パネル上に表示された、数値データの入力を所望する入力欄をオペレーターがタッチすると、該入力欄の近傍に該入力欄を指し示す矢印を有する数値入力用の円形画像が表示され、該円形画像の外周部をオペレーターがタッチして外周に沿って第一の方向になぞることによって該入力欄の数値が増加し、該第一の方向と反対の第二の方向になぞることによって該入力欄の数値が減少することを特徴とする加工装置。
【請求項２】
数値データの入力を所望する入力欄の近傍に表示された該円形画像の外周部をオペレーターがタッチして外周に沿って第一の方向になぞることによって該入力欄の数値が所定の間隔ずつ増加し、第二の方向になぞることによって該入力欄の数値が所定の間隔ずつ減少し、
該円形画像がタッチ操作パネル上に表示される際には、該円形画像と重なった位置又は近傍に該入力欄の数値を一つずつ増加させるためのタッチ操作を受け付ける第一アイコンと、該入力欄の数値を一つずつ減少させるためのタッチ操作を受け付ける第二アイコンとが表示されることを特徴とする請求項１記載の加工装置。
【発明の詳細な説明】
【技術分野】
【０００１】
本発明は、タッチ操作によって加工条件を入力するタッチ操作パネルを備えた加工装置に関する。
【背景技術】
【０００２】
半導体デバイスや電子部品の製造プロセスでは、半導体ウエーハやセラミックス基板等の各種材料からなる板状の被加工物を、研削装置のスピンドルに装着された研削ホイールによって研削して所定の厚みに形成した後、切削装置のスピンドルに装着された切削ブレードやレーザー加工装置によって板状の被加工物を個々のデバイスチップに分割する。
【０００３】
研削装置、切削装置、レーザー加工装置等の加工装置では、近年、操作パネルとして操作性の良いタッチパネルを、作業員等のオペレーターが操作し易い位置に搭載することが多い（例えば、特開２００３−１５８０９４号公報参照）。
【０００４】
加工装置は、オペレーターがタッチ式操作パネル（以下、タッチ操作パネルと称する）を操作することで、各種加工条件が入力され、種々の被加工物に合わせた加工条件で最適な加工を実施する。
【０００５】
オペレーターが各種加工条件を入力する場合には、タッチ操作パネルの所望の入力欄をタッチする等して選択した後、タッチ操作パネル上に数値入力用のキーボードを表示させて、加工条件に合った数値を入力するという手順を踏むことになる。
【先行技術文献】
【特許文献】
【０００６】
【特許文献１】特開２００３−１５８０９４号公報
【発明の概要】
【発明が解決しようとする課題】
【０００７】
しかし、従来一般的であったタッチ操作パネル上に数値入力用のキーボードを表示させてキーボードを使用しての数値入力は、画面へのタッチ回数も多くなり、操作に慣れるまでの時間が必要であったり、操作に慣れてもタッチ位置のずれによる入力ミスや数値の打ち間違いが発生し易いという問題があった。
【０００８】
本発明はこのような点に鑑みてなされたものであり、その目的とするところは、タッチ操作パネル上の数値入力欄に、より少ないステップで数値入力を可能とする画像を表示可能なタッチ操作パネルを備えた加工装置を提供することである。
【課題を解決するための手段】
【０００９】
本発明によると、被加工物を保持する保持面を有する保持手段と、該保持手段に保持された被加工物を加工する加工手段と、該加工手段の加工条件を入力するタッチ操作パネルとを備えた加工装置であって、該タッチ操作パネルは、加工条件の数値データが入力される一または複数の入力欄を配置した加工条件設定画面を少なくとも表示し、該タッチ操作パネル上に表示された、数値データの入力を所望する入力欄をオペレーターがタッチすると、該入力欄の近傍に該入力欄を指し示す矢印を有する数値入力用の円形画像が表示され、該円形画像の外周部をオペレーターがタッチして外周に沿って第一の方向になぞることによって該入力欄の数値が増加し、該第一の方向と反対の第二の方向になぞることによって該入力欄の数値が減少することを特徴とする加工装置が提供される。
【００１０】
好ましくは、数値データの入力を所望する入力欄の近傍に表示された該円形画像の外周部をオペレーターがタッチして外周に沿って第一の方向になぞることによって該入力欄の数値が所定の間隔ずつ増加し、第二の方向になぞることによって該入力欄の数値が所定の間隔ずつ減少し、該円形画像がタッチ操作パネル上に表示される際には、該円形画像と重なった位置又は近傍に該入力欄の数値を一つずつ増加させるためのタッチ操作を受け付ける第一アイコンと、該入力欄の数値を一つずつ減少させるためのタッチ操作を受け付ける第二アイコンとが表示される。
【発明の効果】
【００１１】
本発明によると、加工装置のタッチ操作パネルに数値データの入力を所望する入力欄をオペレーターがタッチすると該入力欄の近傍に数値入力用の円形画像を表示させることができるため、円形画像の外周部をオペレーターがタッチして外周に沿ってなぞることにより入力欄の数値を所望の数値に簡単に変更することができる。
【図面の簡単な説明】
【００１２】
【図１】本発明が適用される切削装置の外観斜視図である。
【図２】加工条件設定画面の一例を示す図である。
【図３】加工条件設定画面のスピンドル回転数Ｚ２の数値入力用の欄の近傍に数値入力用の円形画像を表示させた状態の図である。
【図４】図４（Ａ）は円形画像の外周部にタッチしてなぞることにより数値を入力する説明図、図４（Ｂ）は円形画像と重なった位置に表示されたアイコンにタッチすることにより数値入力する説明図である。
【発明を実施するための形態】
【００１３】
以下、本発明の実施形態を図面を参照して詳細に説明する。図１を参照すると、本発明実施形態に係るタッチ操作パネルを備えた切削装置２の外観斜視図が示されている。切削装置２の機構部は、複数のパネルを組み合わせて形成された外装カバー４内に収容されている。
【００１４】
６はチャックテーブルであり、回転可能且つＸ軸方向に移動可能に構成されている。チャックテーブル６には、よく知られているようにダイシングテープを介してウエーハを支持する環状フレームをクランプする複数のクランプ８が配設されている。
【００１５】
切削装置２は、Ｙ軸方向に整列して配設された第１切削ユニット１０及び第２切削ユニット１２を有している。第１切削ユニット１０及び第２切削ユニット１２ともＹ軸方向に伸長するガイドレール１４に案内されてＹ軸方向に移動可能であるとともに、Ｚ軸方向（高さ方向）にも移動可能に配設されている。切削装置２はスピンドルを２本有する所謂フェイシングデュアルダイサーである。
【００１６】
１６は内部に複数枚のウエーハを収容したカセットを載置するカセット載置台であり、上下方向（Ｚ軸方向）に移動可能に構成されている。１８は切削装置２の稼動状況を表示する表示ランプであり、切削装置２が正常作動時には例えば緑色で点灯し、何らかの故障が生じた場合には赤色が点滅する。
【００１７】
２０はタッチ操作で情報を入力可能なタッチパネル式のタッチ操作パネルであり、オペレーターが装置の操作指令をタッチ操作パネルを使用して入力できると共に、装置の稼働状況がタッチ操作パネル２０上に表示される。２２，２４は非常停止ボタンであり、オペレーターがこの非常停止ボタン２０，２４を押すと切削装置２の作動を直ちに停止することができる。
【００１８】
図２を参照すると、タッチ操作パネル２０上に表示された加工条件設定画面３０の一例が示されている。加工条件設定画面３０は、デバイス領域３２，カット領域３４，オートセットアップ領域３６及びオートダウン領域３８を有している。
【００１９】
デバイス領域３２は複数の数値データの入力欄４０を有しており、カット領域３４は複数の数値データの入力欄４２を有しており、オートセットアップ領域３６は複数の数値データの入力欄４４を有しており、オートダウン領域３８は複数の数値データの入力用の４６を有している。
【００２０】
例えば、第２切削ユニット１２のスピンドル回転数Ｚ２を変更したい場合には、スピンドル回転数Ｚ２に対応する入力欄４２をオペレーターがタッチする。このタッチ操作に応じて、図３に示すように、タッチした入力欄４２の近傍に数値入力用の円形画像４８が表示される。円形画像４８の外周部４８ａは数値データの入力部として機能する。
【００２１】
従って、図４（Ａ）に示すように、オペレーターの手５０が円形画像４８の外周部４８ａにタッチして、外周部４８ａに沿って矢印Ｒで示された時計回り方向になぞると、入力欄４２の数値が増加する。逆に、矢印Ｌで示された反時計回り方向になぞると、入力欄４２の数値が減少する。
【００２２】
好ましくは、矢印Ｒで示す時計回り方向になぞると、入力欄４２の数値が所定の間隔ずつ増加し、矢印Ｌで示す反時計回り方向になぞると、入力欄４２の数値が所定の間隔ずつ減少するように設定されている。
【００２３】
本実施形態では、円形画像４８が、タッチした入力欄４２に隣接した加工条件設定画面３０上に表示される際には、円形画像４８と重なった位置に入力欄４２の数値を一つずつ増加させるためのタッチ操作を受け付けるアイコン５２と、入力欄４２の数値を一つずつ減少させるためのタッチ操作を受け付けるアイコン５４が同時に表示される。本実施形態では、アイコン５２，５４は円形画像４８と重なった位置に表示されているが、アイコン５２，５４は円形画像４８の近傍に表示されるように設定しても良い。
【００２４】
図４（Ｂ）に示すように、オペレーターの手５０がアイコン５２にタッチすると、タッチ回数に応じて入力欄４２の数値を一つずつ増加させることができる。一方、アイコン５４にタッチすると、タッチ回数に応じて入力欄４２の数値を一つずつ減少させることができる。
【００２５】
上述した実施形態では、本発明を切削装置２のタッチ操作パネル２０に適用した例について説明したが、本発明はこれに限定されるものではなく、タッチ操作画面を有する研削装置、研磨装置、レーザー加工装置等の他の加工装置にも同様に適用することができる。
【符号の説明】
【００２６】
２    切削装置
２０    タッチ操作パネル
３０    加工条件設定画面
３２    デバイス領域
３４    カット領域
３６    オートセットアップ領域
３８    オートダウン領域
４０，４２，４４，４６    入力欄
４８    円形画像
４８ａ    外周部
５２，５４    アイコン
【図１】
0006433178.tif 000002
【図２】
0006433178.tif 000003
【図３】
0006433178.tif 000004
【図４】
0006433178.tif 000005